(57)【特許請求の範囲】
【請求項１】
ボルト状の電極端子を挿通させる孔部が形成されたリング状部を有するワッシャにおいて、
上記リング状部から径方向外方に突出形成された絶縁部材と、
上記絶縁部材の内部に設けられ上記リング状部と電気的に接続されたヒューズと、
上記ヒューズと電気的に接続されて上記絶縁部材よりも径方向外方に突出形成されたタブと、
を具備することを特徴とするワッシャ。
【請求項２】
上記電極端子は電池に設けられ、上記ヒューズと上記タブの間には、上記電池に接続された負荷での電圧変動を防止する抵抗体が設けられたことを特徴とする請求項１記載のワッシャ。
【発明の詳細な説明】
【０００１】
【発明の属する技術分野】
本発明は、電池端子に取り付けられるワッシャに関する。
【０００２】
【従来の技術】
例えば電話回線の交換局等においては、電力供給が停止した場合でもその回線使用を確保しておく必要があり、そのためのバックアップ用電源として鉛蓄電池が用いられている。この場合、鉛蓄電池は外部電力或いは太陽発電によって充電されることで、十分蓄電され、それによって電力供給停止時にバックアップ用電源として備えている。
【０００３】
ここで、上述の如く充電された鉛蓄電池の性能を維持するためには、その鉛蓄電池の性能を日頃から確認、把握しておく必要があり、そのためにこの鉛蓄電池の端子電圧の計測を一般に行っている。しかしながら、端子電圧の計測は鉛蓄電池が設けられた部位で行う場合もあるが、そこから離間した位置で行うこともあり、またその計測も自動的に行う場合がある。
【０００４】
このように計測を自動的に行うときには電池の端子に電圧計測用の配線を取り付け、その配線をさらに離間した場所に設けられた測定装置へ接続して遠隔の場合での端子電圧の計測を行っている。
【０００５】
この場合、電池端子はボルトナットワッシャ式となっており、この端子に用いられるワッシャはリング状を為して単に配線等を介在させる機能を果たしている。
【０００６】
【発明が解決しようとする課題】
ところで、上述の如く電池端子はボルトナットワッシャ式となっているので、運用中の電池に計測線を取り付ける場合には、ボルトを緩めると共にこの電池端子に接続されている負荷や充電器をこの電池への接続状態から切り離す必要が生じる。このため、その作業に手間を要すると共に、その運用に中断を生じさせてしまうといった問題がある。
【０００７】
また、電池を運用している場合に、接続されている計測線に短絡が生じてこの計測線に許容値を超えた電流が流れることがあり、その場合には火災を引き起こしてしまうことがある。
【０００８】
さらに、電池をフロート充電している場合に接続されている計測線に短絡が生じて、この計測線に大電流が分流することがあり、その負荷電圧が小さくなる等電圧変動を起こすなどの支障を来すことがある。
【０００９】
本発明は上記の事情にもとづきなされたもので、その目的とするところは、電池端子のボルトナットワッシャを外すことなく配線接続できて計測が行えるとともに、短絡時に生じる大電流からの保護及び負荷電圧変動を抑止できるワッシャを提供しようとするものである。
【００１０】
【課題を解決するための手段】
上記課題を解決するために、請求項１記載の発明は、ボルト状の電極端子を挿通させる孔部が形成されたリング状部を有するワッシャにおいて、上記リング状部から径方向外方に突出形成された絶縁部材と、上記絶縁部材の内部に設けられ上記リング状部と電気的に接続されたヒューズと、上記ヒューズと電気的に接続されて上記絶縁部材よりも径方向外方に突出形成されたタブと、を具備することを特徴とするワッシャである。
【００１１】
請求項２記載の発明は、上記電極端子は電池に設けられ、上記ヒューズと上記タブの間には、上記電池に接続された負荷での電圧変動を防止する抵抗体が設けられたことを特徴とする請求項１記載のワッシャである。
【００１２】
請求項１の発明によると、上記リング状部から径方向外方に突出形成された絶縁部材と、上記絶縁部材の内部に設けられ上記リング状部と電気的に接続されたヒューズと、上記ヒューズと電気的に接続されて上記絶縁部材よりも径方向外方に突出形成されたタブと、を具備するため、ボルト状の端子にワッシャが挿通した場合には絶縁部材の径方向外方に突出形成されたタブが外方に突出した状態となる。このため、この部分に接続部材を接続すれば、一々ナットを緩めることなく電池の計測を行うことができ、この電池に接続された各種装置の運用を中断することなく測定装置での計測を行える。
【００１３】
また、絶縁部材の内部にはリング状部と電気的に接続されたヒューズを具備するため、過電流が導通した場合にはこのヒューズが溶断されることで、このワッシャに電気的に接続される測定装置等或いは接続部位での火災の発生を未然に防止し、また測定装置等の保護を図ることが可能となる。
【００１４】
請求項２の発明によると、上記ヒューズと上記タブの間には、上記電池に接続された負荷での電圧変動を防止する抵抗体が設けられたため、この電池をフロート充電している場合に、配線同士が短絡を起こしても、抵抗体が設けられてこの抵抗体を電流が導通する構成であり、それによって電池に接続された他の負荷に生じる電圧変動を防止することができる。
【００１５】
【発明の実施の形態】
以下、本発明の一実施の形態について、図１及び図２に基づいて説明する。
鉛蓄電池等の電極端子に接続されるワッシャ１０は、図２に示すように鉛蓄電池３０の如き電極端子３１を有する電池と測定装置３２とを接続すべく、電極端子３１に挿通されて設けられるものである。
【００１６】
このワッシャ１０は、図１に示すように、電極端子３１への挿通を行い得る挿通孔１１を有しており、その周囲は通常のワッシャと同様に、金属を材質とするリング状部１２となっている。
【００１７】
リング状部１２の所定部位には、径方向外方に向かって突出形成された突出体１３が設けられている。この突出体１３とリング状部１２とは、例えばこれらが噛み合って係止固定される構成や、これらが接着されたもの、或いは溶着された構成のもの等、種々の構成が考えられる。
【００１８】
この突出体１３は、絶縁体を材質として形成された筐体１５を備えており、この筐体１５の長手方向に沿う中心部分には孔部１６が形成されている。孔部１６は、その一端がリング状部１２に開放しており、そこから径方向外方に向かって貫通して形成されている。
【００１９】
この孔部１６には、開放側端部にヒューズ１７の端子の一端側１７ａが設けられてリング状部１２と電気的に接続されて、この孔部１６のリング状部１２に対する開放を塞いでいる。そして、孔部１６の適宜の深さの位置には端子の他端側１７ｂが設けられ、この端子の一端側１７ａと他端側１７ｂの間には溶断部１７ｃが取り付けられている。それによって過大電流が導通した場合に切断される仕組みとなっている。
【００２０】
なお、上記ヒューズ１７や後述する抵抗体１８を突出体１３内部に具備する構成とするため、リング状部１２はそれに応じた分だけの厚みを有する構成となっている。
【００２１】
上記端子の他端側１７ｂから孔部１６の他端側に向かい、抵抗体１８が設けられている。抵抗体１８は、この抵抗値が鉛蓄電池３０に接続された種々の負荷に導通する電流が減少してそれによって電圧変動を引き起こさないよう、十分な大きさに設定されている。
【００２２】
抵抗体１８の他端側端子１８ｂには、その材質を金属とするタブ１９が取り付けられている。このタブ１９を取り付けるために、絶縁体１４の径方向外方の先端側には嵌合部２０が形成されており、この嵌合部２０に上記タブ１９が嵌め合わされてこの抵抗体１８の他端側端子１８ｂと通電性を有するように構成されている。
【００２３】
このタブ１９は、外形側に突出した部分がメールタブ３３に係合され、それによって当該メールタブ３３に配線を介して接続された測定装置３２へと電流を導通させる構成となっている。
【００２４】
以上のような構成を有するワッシャ１０によると、リング状部１２から径方向外方に向かい突出体１３が設けられ、この突出体１３の径方向外方に突出形成されたタブ１９が設けられた構成であるため、電極端子３１にワッシャ１０が取り付けられたままでも、タブ１９がメールタブ３３に嵌め込まれるだけで簡単にこれらの接続を行える。このため、電極端子３１に締結されているナット３４を一々緩めてこの電極端子３１に接続されている負荷の接続を外してしまうことがなく、よって負荷の運用を中断することがなくなる。そのため、メールタブ３３を介しての測定装置３２への接続が容易となる。
【００２５】
また、上記突出体１３の内部には、リング状部１２と電気的に接続されたヒューズ１７が設けられているため、測定装置３２に過電流が導通した場合には、溶断部１７ｃが溶断することにより、計測線及び測定装置３２に過電流が導通するのが防止される。このため、過電流が導通による火災の発生を未然に防止し、測定装置３２等の保護を図ることが可能となる。
【００２６】
さらに、突出体１３には抵抗体１８が設けられ、この抵抗体１８はヒューズ１７と電気的に接続されているので、測定装置３２へ例えば配線同士が短絡を起こすことによる大電流の導通が防止できる。このため、この鉛蓄電池３０に接続されている負荷で、配線の短絡等による電流の導通量の変化に伴う電圧変動が生じるのを防止することができ、安定的な負荷の運転を行うことが可能となる。
【００２７】
以上、本発明の一実施の形態について説明したが、本発明はこれ以外にも種々変形可能となっている。以下それについて述べる。
上記実施の形態では、リング状部１２と突出体１２とは一体的な構成であるとして述べたが、このリング状部１２に対して突出体１３を着脱自在な構成としても構わない。
その他、本発明の要旨を変更しない範囲において、種々変形可能となっている。
【００２８】
【発明の効果】
以上説明したように、本発明によると、リング状部から径方向外方に突出形成された絶縁部材と、絶縁部材の内部に設けられ上記リング状部と電気的に接続されたヒューズと、ヒューズと電気的に接続されて絶縁部材よりも径方向外方に突出形成されたタブと、を具備するため、ボルト状の端子にワッシャが挿通した場合には絶縁部材の径方向外方に突出形成されたタブが外方に突出した状態となる。このため、この部分に接続部材を接続すれば、一々ナットを緩めることなく電池の計測を行うことができ、この電池に接続された各種装置の運用を中断することなく測定装置での計測を行える。
【００２９】
また、絶縁部材の内部にはリング状部と電気的に接続されたヒューズを具備するため、過電流が導通した場合にはこのヒューズが溶断されることで、このワッシャに電気的に接続される測定装置等或いは計測線及び接続部位での火災の発生を未然に防止し、また測定装置等の保護を図ることができる。
【００３０】
また、ヒューズとタブの間には、電池に接続された負荷での電圧変動を防止する抵抗体が設けられたため、この電池をフロート充電している場合に、配線同士が短絡を起こしても、抵抗体が設けられてこの抵抗体を電流が導通する構成であり、それによって電池に接続された他の負荷に生じる電圧変動を防止することができる。
【図面の簡単な説明】
【図１】同実施の形態に係わるワッシャの形状を示す平面図。
【図２】本発明の一実施の形態に係わる鉛蓄電池とワッシャの接続状況を示す図。
【符号の説明】
１０…ワッシャ
１２…リング状部
１３…突出体
１７…ヒューズ
１８…抵抗体
１９…タブ
２０…嵌合部
３０…鉛蓄電池
３１…電極端子
３２…測定装置
３３…メールタブ
３４…ナット
【図１】
0003587692.tif 000002
【図２】
0003587692.tif 000003